(57)【要約】【課題】ナースコールシステムへの通知制御の操作性を向上する。【解決手段】通知制御システムは、使用者の荷重を検知可能なベッドと接続する制御装置と、複数の端末装置とを備える。端末装置は、使用者の状態の通知に関する設定を行う手段を備える。制御装置は、ベッドの荷重情報に基づいて使用者の状態を判定する手段と、当該判定の結果に基づいて使用者の状態を通知する状態通知情報をナースコールシステムと接続する中継装置へ送信する手段と、複数の端末装置の少なくとも１つから前記使用者の状態の通知が停止中であることを示す停止中情報を受信した場合に、状態通知情報の送信を停止する手段と、を備える。【選択図】図１
2019176951.tif 000002
【特許請求の範囲】
【請求項１】
使用者の荷重を検知可能なベッドと接続する制御装置と、
複数の端末装置とを備える通知制御システムであって、
前記端末装置は、
前記使用者の状態の通知に関する設定を行う手段を備え、
前記制御装置は、
前記ベッドの荷重情報に基づいて前記使用者の状態を判定する手段と、
前記判定の結果に基づいて前記使用者の状態を通知する状態通知情報をナースコールシステムと接続する中継装置へ送信する手段と、
前記複数の端末装置の少なくとも１つから前記使用者の状態の通知が停止中であることを示す停止中情報を受信した場合に、前記状態通知情報の送信を停止する手段と、
を備える通知制御システム。
【請求項２】
前記制御装置は、前記複数の端末装置の少なくとも１つから前記停止中情報を受信した場合に、前記複数の端末装置に対して、前記使用者の状態の通知を停止中にすること指示する停止指示情報を送信し、
前記端末装置は、前記停止指示情報を受信した場合に、前記使用者の状態の通知が停止中であることを表示する、
請求項１に記載の通知制御システム。
【請求項３】
前記制御装置は、前記複数の端末装置の少なくとも１つから前記使用者の状態の通知の停止が解除されたことを示す停止解除情報を受信した場合に、前記複数の端末装置に対して、前記使用者の状態の通知の停止を解除すること指示する停止解除指示情報を送信し、
前記端末装置は、前記停止解除指示情報を受信した場合に、前記使用者の状態の通知が停止中であることを示す表示を解除する、
請求項２に記載の通知制御システム。
【請求項４】
前記使用者の状態は、起上り、離床、端座位及び見守りのうちの少なくとも１つを含む、
請求項１から請求項３のいずれか一項に記載の通知制御システム。
【請求項５】
使用者の荷重を検知可能なベッドと、前記使用者の状態の通知に関する設定を行う複数の端末装置とに接続する制御装置であって、
前記ベッドの荷重情報に基づいて前記使用者の状態を判定する手段と、
前記判定の結果に基づいて前記使用者の状態を通知する状態通知情報をナースコールシステムと接続する中継装置へ送信する手段と、
前記複数の端末装置の少なくとも１つから前記使用者の状態の通知が停止中であることを示す停止中情報を受信した場合に、前記状態通知情報の送信を停止する手段と、
を備える制御装置。
【請求項６】
前記複数の端末装置の少なくとも１つから前記停止中情報を受信した場合に、前記複数の端末装置に対して、前記使用者の状態の通知を停止中にすること指示する停止指示情報を送信する、
請求項５に記載の制御装置。
【請求項７】
前記複数の端末装置の少なくとも１つから前記使用者の状態の通知の停止が解除されたことを示す停止解除情報を受信した場合に、前記複数の端末装置に対して、前記使用者の状態の通知の停止を解除すること指示する停止解除指示情報を送信する、
請求項６に記載の制御装置。
【請求項８】
前記使用者の状態は、起上り、離床、端座位及び見守りのうちの少なくとも１つを含む、
請求項５から請求項７のいずれか一項に記載の制御装置。
【請求項９】
使用者の荷重を検知可能なベッドと、前記使用者の状態の通知に関する設定を行う複数の端末装置とに接続する制御装置に、
前記ベッドの荷重情報に基づいて前記使用者の状態を判定する機能と、
前記判定の結果に基づいて前記使用者の状態を通知する状態通知情報をナースコールシステムと接続する中継装置へ送信する機能と、
前記複数の端末装置の少なくとも１つから前記使用者の状態の通知が停止中であることを示す停止中情報を受信した場合に、前記状態通知情報の送信を停止する機能と、
実現させるためのプログラム。
【発明の詳細な説明】
【技術分野】
【０００１】
本発明は、通知制御システム、制御装置及びプログラムに関する。
【背景技術】
【０００２】
病院や介護施設等において、ベッドの使用者の離床を検知し、ナースコールシステムへ通知することが行われている（例えば、特許文献１参照）。
【先行技術文献】
【特許文献】
【０００３】
【特許文献１】特開２００７−２８２８７８号公報
【発明の概要】
【発明が解決しようとする課題】
【０００４】
ベッドの使用者の状態（例えば、離床等）に基づいて、ナースコールシステムへの通知を行うにあたり、通知設定を行う端末が複数存在することにより操作が煩雑になる場合がある。
【０００５】
本発明は、ナースコールシステムへの通知制御の操作性を向上することができる通知制御システム、制御装置及びプログラムを提供する。
【課題を解決するための手段】
【０００６】
本発明の一態様は、使用者の荷重を検知可能なベッドと接続する制御装置と、複数の端末装置とを備える通知制御システムであって、前記端末装置は、前記使用者の状態の通知に関する設定を行う手段を備え、前記制御装置は、前記ベッドの荷重情報に基づいて前記使用者の状態を判定する手段と、前記判定の結果に基づいて前記使用者の状態を通知する状態通知情報をナースコールシステムと接続する中継装置へ送信する手段と、前記複数の端末装置の少なくとも１つから前記状態通知情報の送信を停止する通知停止情報を受信した場合に、前記中継装置への前記状態通知情報の送信を停止する手段と、を備える通知制御システムである。
【０００７】
また、本発明の一態様は、使用者の荷重を検知可能なベッドと、前記使用者の状態の通知に関する設定を行う複数の端末装置とに接続する制御装置であって、前記ベッドの荷重情報に基づいて前記使用者の状態を判定する手段と、前記判定の結果に基づいて前記使用者の状態を通知する状態通知情報をナースコールシステムと接続する中継装置へ送信する手段と、前記複数の端末装置の少なくとも１つから前記使用者の状態の通知が停止中であることを示す停止中情報を受信した場合に、前記状態通知情報の送信を停止する手段と、を備える制御装置である。
【０００８】
また、本発明の一態様は、使用者の荷重を検知可能なベッドと、前記使用者の状態の通知に関する設定を行う複数の端末装置とに接続する制御装置に、前記ベッドの荷重情報に基づいて前記使用者の状態を判定する機能と、前記判定の結果に基づいて前記使用者の状態を通知する状態通知情報をナースコールシステムと接続する中継装置へ送信する機能と、前記複数の端末装置の少なくとも１つから前記使用者の状態の通知が停止中であることを示す停止中情報を受信した場合に、前記状態通知情報の送信を停止する機能と、実現させるためのプログラムである。
【発明の効果】
【０００９】
本発明によれば、ナースコールシステムへの通知制御の操作性を向上することができる。
【図面の簡単な説明】
【００１０】
【図１】第１の実施形態に係る通知制御システムのシステム構成例を示す概略図である。
【図２】第１の実施形態に係る制御装置の機能構成例を示すブロック図である。
【図３】第１の実施形態に係る第１端末装置の機能構成例を示すブロック図である。
【図４】第１の実施形態に係る中継装置の機能構成例を示すブロック図である。
【図５】第１の実施形態に係る第１端末装置の外観の例を示す図である。
【図６】第１の実施形態に係る第１端末装置の表示画面の例を示す第１の図である。
【図７】第１の実施形態に係る第１端末装置の表示画面の例を示す第２の図である。
【図８】第１の実施形態に係る第１端末装置の表示画面の例を示す第３の図である。
【図９】第１の実施形態に係る第１端末装置の表示画面の例を示す第４の図である。
【図１０】第１の実施形態に係る制御装置の処理の例を示すフローチャートである。
【図１１】第１の実施形態に係る通知制御システムの処理の例を示すシーケンス図である。
【図１２】第２の実施形態に係る通知制御システムのシステム構成例を示す概略図である。
【図１３】第２の実施形態に係る第２端末装置の機能構成例を示すブロック図である。
【図１４】第２の実施形態に係るサーバ装置の機能構成例を示すブロック図である。
【図１５】第２の実施形態に係る第３端末装置の機能構成例を示すブロック図である。
【図１６】第２の実施形態に係る第３端末装置の表示画面の例を示す図である。
【図１７】第２の実施形態に係る第３端末装置の表示画面の例を説明する第１の図である。
【図１８】第２の実施形態に係る第３端末装置の表示画面の例を説明する第２の図である。
【図１９】第２の実施形態に係る通知制御システムの処理の例を示すシーケンス図である。
【発明を実施するための形態】
【００１１】
以下、本発明の実施形態について図面を参照して説明する。
【００１２】
［第１の実施形態］
本発明の第１の実施形態について説明する。
図１は、本実施形態に係る通知制御システム１のシステム構成例を示す概略図である。
通知制御システム１は、ベッド１０と、制御装置２０と、第１端末装置３０と、中継装置４０と、ナースコールシステムＮＳとを備える。
【００１３】
ベッド１０は、例えばアクチュエータにより動く可動部を有し、「背上げ」、「膝上げ」、「高さ調整」及び「傾斜」のすくなくとも一つの動作が可能である。ベッド１０は、可動部に設けられた荷重センサ等によりベッド使用者の荷重を示す情報（以降、荷重情報とも称する）を取得する。ベッド１０は、制御装置２０を備える。制御装置２０は、ベッド１０に内蔵されるが、有線又は無線によりベッド１０と接続し、ベッド１０の外部に設置されてもよい。
【００１４】
制御装置２０は、ベッド１０の動作を制御する。制御装置２０は、ベッド１０から荷重情報を取得し、取得した荷重情報に基づいて使用者の状態を判定する。使用者の状態は、「起上り」、「端座位」、「離床」、「見守り」等であり、これらの状態の詳細については後述する。制御装置２０は、使用者の状態をナースコールシステムＮＳに通知するか否かを判定する。制御装置２０は、使用者の状態をナースコールシステムＮＳに通知すると判定した場合、使用者の状態に関する情報を有線又は無線で接続する中継装置４０に送信する。
【００１５】
第１端末装置３０は、ベッド１０と有線又は無線で通信可能に接続される端末装置であり、ベッド１０を介して制御装置２０及び中継装置４０と通信する。第１端末装置３０は、例えば、ベッドナビとも称する。第１端末装置３０は、ベッド使用者の状態の通知に関する設定を行う手段を備える。第１端末装置３０は、看護師、介護者等の作業者（以降、作業者とも称する）やベッド使用者が設定したベッド使用者の状態の通知に関する設定を、制御装置２０に送信する。なお、第１端末装置３０は複数設置されてもよい。また、第１端末装置３０は、ベッド１０を介さずに制御装置２０及び中継装置４０と通信してもよい。
【００１６】
中継装置４０は、ベッド１０と有線又は無線で通信可能に接続される端末装置であり、ベッド１０を介して制御装置２０及び第１端末装置３０と通信する。中継装置４０は、例えば、ナースコール中継ユニットとも称する。中継装置４０は、制御装置２０からベッド使用者の状態の通知を受信すると、当該通知を有線又は無線で接続するナースコールシステムＮＳに中継する。ナースコールシステムＮＳにおいて、当該通知に基づいて、看護師にナースコールが通知される。なお、中継装置４０は、ベッド１０を介さずに制御装置２０及び第１端末装置３０と通信してもよい。
中継装置４０は、ベッド使用者の状態の通知に関する設定を行う手段を備える。中継装置４０は、作業者やベッド使用者が設定したベッド使用者の状態の通知に関する設定を、制御装置２０に送信する。
【００１７】
図２は、本実施形態に係る制御装置２０の機能構成例を示すブロック図である。
制御装置２０は、制御部２１と、記憶部２２と、通信部２３とを備える。制御部２１は、ＣＰＵ（Ｃｅｎｔｒａｌ  Ｐｒｏｃｅｓｓｉｎｇ  Ｕｎｉｔ；中央演算処理装置）等のプロセッサを用いて構成され、ベッド１０の動作を統括して制御する。制御部２１は、状態判定部２１１と、通知制御部２１２とを備える。
【００１８】
状態判定部２１１は、通信部２３を介してベッド１０の荷重情報を取得し、取得した荷重情報に基づいて、ベッド使用者の状態を判定する。使用者の状態は、例えば「起上り」、「端座位」、「離床」、「見守り」である。「起上り」は、ベッド使用者がベッド上で起き上がった状態である。「離床」はベッド使用者がベッドから立ち上がった状態である。「端座位」は、ベッド使用者が床に足を下ろしてベッド上に座った状態である。「見守り」は、ベッド使用者がベッドから離床後、設定した時間内にベッド上に戻らなかった状態である。荷重情報には、例えば、ベッド１０に係る荷重の大きさや座標、荷重継続時間等の情報が含まれる。状態判定部２１１は、荷重情報に基づいて、ベッド使用者の状態が例えば「起上り」、「端座位」、「離床」、「見守り」のいずれかの状態になったと判定する。なお、荷重情報に基づくベッド使用者の状態判定は、ベッド１０が行い、状態判定部２１１は、通信部２３を介してベッド１０から判定結果を取得して使用してもよい。
【００１９】
通知制御部２１２は、通信部２３を介して第１端末装置３０又は中継装置４０からベッド使用者の状態の通知に関する設定を取得する。通知制御部２１２は、取得したベッド使用者の状態の通知に関する設定に基づいて、ナースコールシステムＮＳへの使用者の状態を通知する情報（以降、状態通知情報とも称する）の送信を制御する。具体的には、通知制御部２１２は、第１端末装置３０又は中継装置４０から、ベッド使用者の状態の通知が停止中であることを示す情報（以降、停止中情報とも称する）を受信した場合には、中継装置４０への状態通知情報の送信を停止する。例えば、通知制御部２１２は、停止中情報を受信した場合に、第１端末装置３０及び中継装置４０に対して、ベッド使用者の状態の通知を停止中にすること指示する情報（以降、停止指示情報とも称する）を送信する。また、通知制御部２１２は、第１端末装置３０又は中継装置４０から、ベッド使用者の状態通知の停止が解除されたことを示す情報（停止解除情報）を受信した場合に、中継装置４０への状態通知情報の送信停止を解除する。例えば、通知制御部２１２は、第１端末装置３０又は中継装置４０から、停止解除情報を受信した場合に、第１端末装置３０及び中継装置４０に対して、ベッド使用者の状態通知の停止を解除すること指示する情報（以降、停止解除指示情報とも称する）を送信する。
【００２０】
記憶部２２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶装置を用いて構成され、種々の情報を記憶する。記憶部２２は、例えば、ベッド使用者の荷重情報、ベッド使用者の状態判定のための条件、第１端末装置３０や中継装置４０から受信したベッド使用者の状態通知に関する設定等を記憶する。
【００２１】
通信部２３は、有線又は無線のネットワークを介して装置間の通信を行うための通信用インターフェイスを備え、ベッド１０、第１端末装置３０及び中継装置４０と通信する。
【００２２】
図３は、本実施形態に係る第１端末装置３０の機能構成例を示すブロック図である。
第１端末装置３０は、制御部３１と、記憶部３２と、表示部３３と、操作部３４と、通信部３５とを備える。
【００２３】
制御部３１は、ＣＰＵ（Ｃｅｎｔｒａｌ  Ｐｒｏｃｅｓｓｉｎｇ  Ｕｎｉｔ；中央演算処理装置）等のプロセッサを用いて構成され、第１端末装置３０の動作を統括して制御する。制御部３１は、各種設定画面等の表示画面を生成し、表示部３３への表示を制御する。表示画面の例については後述する。
【００２４】
制御部３１は、ベッド使用者の状態の通知に関する情報の送受信を制御する。例えば、制御部３１は、操作部３４よりベッド使用者の状態の通知を停止する設定が入力された場合、制御装置２０に対して、停止中情報を送信する。制御部３１は、操作部３４よりベッド使用者の状態の通知の停止を解除する設定が入力された場合、制御装置２０に対して、停止解除情報を送信する。また、制御部３１は、制御装置２０から、停止指示情報を受信した場合、ベッド使用者の状態通知を一時停止し、一時停止中であることを表示部３３に表示する。制御部３１は、制御装置２０から、停止解除指示情報を受信した場合、ベッド使用者の状態通知の一時停止を解除し、一時停止中であること示す表示を解除する。
【００２５】
記憶部３２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶装置を用いて構成され、種々の情報を記憶する。記憶部２２は、例えば、操作部３４より入力された各種設定情報、制御装置２０から受信したベッド使用者の状態通知に関する情報等を記憶する。
【００２６】
表示部３３は、第１表示部３３１と、第２表示部３３２とを備える。
第１表示部３３１は、液晶ディスプレイや有機ＥＬ（Ｅｌｅｃｔｒｏ  Ｌｕｍｉｎｅｓｃｅｎｃｅ）ディスプレイ等の画像表示装置である。第１表示部３３１は、制御部２１の制御に基づいて、各種設定画面等を表示する。
【００２７】
第２表示部３３２は、ＬＥＤ（Ｌｉｇｈｔ  Ｅｍｉｔｔｉｎｇ  Ｄｉｏｄｅ）等の表示灯であり、制御部３１の制御に基づいて点灯する。具体的には、第２表示部３３２は、使用者の状態の通知を行う設定である場合に点灯する。これにより、作業者やベッド使用者が通知の設定を容易に把握することができる。なお、第２表示部３３２は、第１表示部３３１と一体であってもよい。つまり、第１表示部内の特定の領域において、ベッド使用者の状態の通知設定を示す情報を表示してもよい。
【００２８】
操作部３４は、ボタン、タッチパネル等の入力装置であり、作業者や操作者の入力操作を受け付ける。操作部３４は、入力された情報を制御部３１に出力する。
【００２９】
通信部３５は、有線又は無線のネットワークを介して装置間の通信を行うための通信用インターフェイスを備え、制御装置２０と通信する。
【００３０】
図４は、本実施形態に係る中継装置４０の機能構成例を示すブロック図である。
中継装置４０は、制御部４１と、記憶部４２と、表示部４３と、操作部４４と、通信部４５とを備える。
【００３１】
制御部４１は、ＣＰＵ（Ｃｅｎｔｒａｌ  Ｐｒｏｃｅｓｓｉｎｇ  Ｕｎｉｔ；中央演算処理装置）等のプロセッサを用いて構成され、中継装置４０の動作を統括して制御する。制御部４１は、各種設定画面等の表示画面を生成し、表示部４３への表示を制御する。
制御部４１は、ベッド使用者の状態の通知に関する情報の送受信を制御する。例えば、制御部４１は、操作部４４よりベッド使用者の状態の通知を停止する設定が入力された場合、制御装置２０に対して、停止中情報を送信する。制御部４１は、操作部４４よりベッド使用者の状態の通知の停止を解除する設定が入力された場合、制御装置２０に対して、停止解除情報を送信する。
【００３２】
また、制御部４１は、制御装置２０から、停止指示情報を受信した場合、ベッド使用者の状態通知を一時停止し、一時停止中であることを表示部４３に表示する。制御部４１は、制御装置２０から、停止解除指示情報を受信した場合、ベッド使用者の状態通知の一時停止を解除し、一時停止中であること示す表示を解除する。また、制御部４１は、制御装置２０から、状態通知情報を受信した場合、ナースコールシステムＮＳに対して、状態通知情報を送信することにより、ナースコールを発呼させる。
【００３３】
記憶部４２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶装置を用いて構成され、種々の情報を記憶する。記憶部４２は、例えば、操作部４４より入力された各種設定情報、制御装置２０から受信した使用者の状態の通知に関する情報等を記憶する。
【００３４】
表示部４３は、液晶ディスプレイや有機ＥＬ（Ｅｌｅｃｔｒｏ  Ｌｕｍｉｎｅｓｃｅｎｃｅ）ディスプレイ等の画像表示装置である。表示部４３は、制御部４１の制御に基づいて、各種設定画面等を表示する。なお、表示部４３は、ＬＥＤ（Ｌｉｇｈｔ  Ｅｍｉｔｔｉｎｇ  Ｄｉｏｄｅ）等の表示灯であって、制御部４１の制御に基づいて点灯することにより、各種設定情報を表してもよい。
【００３５】
操作部４４は、ボタン、タッチパネル等の入力装置であり、作業者やベッド使用者の入力操作を受け付ける。操作部４４は、入力された情報を制御部４１に出力する。
【００３６】
通信部４５は、有線又は無線のネットワークを介して装置間の通信を行うための通信用インターフェイスを備え、制御装置２０及びナースコールシステムＮＳと通信する。
【００３７】
第１端末装置３０の表示画面の例について説明する。
図５は、本実施形態に係る第１端末装置３０の外観の例を示す図である。
第１端末装置３０の前面に、表示部３３や操作部３４が配置される。Ａ１、Ａ２、Ａ３、Ａ４およびＡ５の領域が操作部３４に対応する。Ａ５の領域が第１表示部３３１、Ａ６の領域が第２表示部３３２に対応する。Ａ１〜Ａ４の領域は、操作ボタンであり、作業者又は使用者が押下することにより対応する操作が行われる。操作ボタンＡ１は、心肺蘇生時等の緊急時にベッドを水平に戻すためのボタンである。操作ボタンＡ２は、ホーム画面に戻るためのボタンである。操作ボタンＡ３は、ベッドの高さを上げるためのボタンである。操作ボタンＡ４は、ベッドの高さを下げるためのボタンである。Ａ５の領域は表示画面であり、ベッドの操作や通知設定等の各種の画面が表示される。また、Ａ５の領域はタッチパネルであり、作業者又はベッド使用者からの入力を受け付ける。Ａ６の領域は表示灯であり、所定の場合に点灯する。例えば、Ａ６の領域は、ベッド使用者の状態通知が停止中である場合に点灯する。
【００３８】
図６は、本実施形態に係る第１端末装置３０の表示画面の例を示す第１の図である。
具体的には、図６は、第１端末装置３０におけるホーム画面である。Ｂ１の領域を押下すると、ベッド使用者の状態通知の操作画面に遷移する。Ｂ２の領域には、現在のベッド使用者の状態通知の設定が表示される。この例では、ベッド使用者の体重が４５〜７５ｋｇであり、ベッド使用者が起き上がってから０秒後に通知を行うことを示している。
【００３９】
図７は、本実施形態に係る第１端末装置３０の表示画面の例を示す第２の図である。
具体的には、図７は、第１端末装置３０におけるベッド使用者の状態通知の操作画面である。Ｃ１の領域を押下すると、ベッド使用者の状態通知の設定画面に遷移する。Ｃ２の領域を押下すると、ベッド使用者の状態通知が停止となる。Ｃ３の領域を押下すると、ベッド使用者の状態通知が一時停止となる。一時停止とは、状態通知を一時的に停止した状態であり、所定の契機により停止した状態が解除されることを示す。所定の契機とは、例えばタイマの満了や一時停止解除の指示等である。Ｃ４の領域を押下すると、ベッド使用者の状態通知が有効となる。
【００４０】
図８は、本実施形態に係る第１端末装置３０の表示画面の例を示す第３の図である。
具体的には、図８は、第１端末装置３０におけるベッド使用者の状態通知の設定画面である。Ｄ１〜Ｄ４の領域はベッド使用者の状態通知を行う対象の動作又は状態を示す。Ｄ１は「起上り」、Ｄ２は「端座位」、Ｄ３は「離床」、Ｄ４は「見守り」を示す。状態通知を行う対象として設定された動作又は状態については対応する領域が色付けされる。「起上り」及び「見守り」については、Ｄ５の領域に表示される時間を選択することで通知する時間を設定することができる。この例では、ベッド使用者が起き上がってから０秒後に通知を行うことを示している。Ｄ６の領域には、ベッド使用者の体重の設定が表示される。この例では、ベッド使用者の体重として４５〜７５ｋｇを設定することを示している。Ｄ７の領域には、通知の一時停止から復帰までの時間の設定が表示される。この例では、ベッド使用者の状態通知が一時停止してから３分後に一時停止が解除されることを示している。
【００４１】
図９は、本実施形態に係る第１端末装置３０の表示画面の例を示す第４の図である。
具体的には、図９は、第１端末装置３０におけるベッド使用者の状態通知の操作画面において、一時停止の領域が押下された場合に表示される画面である。Ｅ１の領域には、ベッド使用者の状態の通知が一時停止中であることを示す説明が表示される。また、Ｅ１の領域には、一時停止が解除されるまでの時間を示す説明が表示される。Ｅ２の領域は一時停止を示す領域であり、ベッド使用者の状態通知の一時停止中においては、当該領域が色付けされる。また、ベッド使用者の状態通知の一時停止中においては、図５のＡ６の領域（第２表示部３３２）が点灯する。これらの表示により、作業者及びベッド使用者は、ベッド使用者の状態通知が一時停止中であることを容易に把握することができる。
【００４２】
本実施形態に係る通知制御システム１の処理の流れについて説明する。
図１０は、本実施形態に係る制御装置２０の処理の例を示すフローチャートである。
（ステップＳ１０１）制御装置２０は、ベッド１０からベッド使用者の荷重を示す情報（荷重情報）を取得する。
【００４３】
（ステップＳ１０２）制御装置２０は、取得した荷重情報に基づいて、ベッド使用者の状態を判定する。例えば、制御装置２０は、荷重情報に含まれるベッド１０に係る荷重の大きさや座標、荷重継続時間等の情報に基づいて使用者の状態が「起上り」、「端座位」、「離床」、「見守り」のいずれかの状態になったと判定する。
【００４４】
（ステップＳ１０３）制御装置２０は、ベッド使用者の状態通知が停止中であるかを判定する。なお、停止中は一時停止中を含む。ベッド使用者の状態通知が停止中である場合（ステップＳ１０３／Ｙｅｓ）、ステップＳ１０１に進む。ベッド使用者の状態通知が停止中でない場合（ステップｓ１０３／Ｎｏ）、ステップＳ１０４に進む。
【００４５】
（ステップＳ１０４）制御装置２０は、判定したベッド使用者の状態と、設定された状態通知の条件が合致するかを判定し、合致する場合は（ステップＳ１０４／Ｙｅｓ）、ステップＳ１０５に進む。合致しない場合は（ステップＳ１０４／Ｎｏ）、ステップＳ１０１に戻る。例えば、制御装置２０は、ベッド使用者の状態通知の設定が、「離床」に設定されている場合、ベッド使用者が離床したと判定したことに基づいてステップＳ１０５に進む。なお、ステップＳ１０３とステップＳ１０４の順序は逆であってもよい。
【００４６】
（ステップＳ１０５）制御装置２０は、ベッド使用者の状態を通知する情報（状態通知情報）を中継装置４０に送信する。その後、中継装置４０が状態通知情報をナースコールシステムＮＳに中継することで、ナースコールが発呼される。
【００４７】
図１１は、本実施形態に係る通知制御システム１の処理の例を示すシーケンス図である。
（ステップＳ２０１）まず、第１端末装置３０において、作業者又はベッド使用者の操作により、ベッド使用者の状態通知が一時停止された状態から説明を開始する。
（ステップＳ２０２）第１端末装置３０は、表示部３３に、ベッド使用者の状態通知が一時停止中であることを表示する。
【００４８】
（ステップＳ２０３）制御装置２０は、接続する端末装置（第１端末装置３０、中継装置４０等）に対して、定期的にベッド使用者の状態通知の設定を問い合わせる。ここでは、第１端末装置３０に対して、ベッド使用者の状態通知の設定を問い合わせる情報を送信する。
（ステップＳ２０４）第１端末装置３０は、制御装置２０からの問い合わせに応じて、ベッド使用者の状態通知が一時停止中であることを示す停止中情報を送信する。
【００４９】
（ステップＳ２０５）制御装置２０は、受信した停止中情報に基づいて、ベッド使用者の状態を通知する情報（状態通知情報）の送信を停止する。例えば、制御装置２０は、ベッド使用者の状態通知が停止中であることを記憶部２２に記憶し、図１０のステップＳ１０３の処理の際に参照することで、状態通知情報の送信を停止する。なお、制御装置２０は、後述するように、接続する端末装置（第１端末装置３０、中継装置４０）に対して停止指示情報を送信することにより状態通知情報の送信を停止してもよい。
（ステップＳ２０６）制御装置２０は、第１端末装置３０に対して、ベッド使用者の状態通知を一時停止中にすること指示する情報（停止指示情報）を送信する。なお、制御装置２０は、状態通知情報の送信元である第１端末装置３０に対して停止指示情報の送信を省略してもよい。
（ステップＳ２０７）制御装置２０は、中継装置４０に対して、停止指示情報を送信する。なお、ステップＳ２０６とステップＳ２０７の順序は逆であってもよい。
【００５０】
（ステップＳ２０８）中継装置４０は、受信した停止指示情報に基づいて、ベッド使用者の状態通知を一時停止中に設定する。
（ステップＳ２０９）中継装置４０は、表示部４３に、ベッド使用者の状態通知が一時停止中であることを表示する。
【００５１】
（ステップＳ２１０）続いて、第１端末装置３０において、作業者又はベッド使用者の操作により、ベッド使用者の状態通知の一時停止が解除された場合の説明を行う。
（ステップＳ２１１）第１端末装置３０は、表示部３３において、ベッド使用者の状態通知が一時停止中であることを示す表示を解除する。例えば、第１端末装置３０は、図９に示す表示画面の表示を停止し別の画面に遷移する。
【００５２】
（ステップＳ２１２）制御装置２０は、第１端末装置３０に対して、定期的な問い合わせとして、ベッド使用者の状態通知の設定を問い合わせる情報を送信する。
（ステップＳ２１３）第１端末装置３０は、制御装置２０からの問い合わせに応じて、ベッド使用者の状態通知の一時停止が解除されたことを示す情報（停止解除情報）を送信する。
【００５３】
（ステップＳ２１４）制御装置２０は、受信した停止解除情報に基づいて、ベッド使用者の状態を通知する情報（状態通知情報）の送信停止を解除する。例えば、制御装置２０は、ベッド使用者の状態通知の一時停止が解除されたことを記憶部２２に記憶し、図１０のステップＳ１０３の処理の際に参照することで、状態通知情報の送信停止を解除する。なお、制御装置２０は、後述するように、接続する端末装置（第１端末装置３０、中継装置４０）に対して停止解除指示情報を送信することにより状態通知情報の送信停止を解除してもよい。
（ステップＳ２１５）制御装置２０は、第１端末装置３０に対して、ベッド使用者の状態の通知の一時停止を解除すること指示する情報（停止解除指示情報）を送信する。なお、制御装置２０は、停止解除情報の送信元である第１端末装置３０に対して停止解除指示情報の送信を省略してもよい。
（ステップＳ２１６）制御装置２０は、中継装置４０に対して、停止解除指示情報を送信する。なお、ステップＳ２１５とステップＳ２１６の順序は逆であってもよい。
【００５４】
（ステップＳ２１７）中継装置４０は、受信した停止解除指示情報に基づいて、ベッド使用者の状態通知の一時停止を解除する。
（ステップＳ２１８）中継装置４０は、表示部４３において、ベッド使用者の状態通知が一時停止中であることを示す表示を解除する。
【００５５】
（ステップＳ２１９）制御装置２０は、図１０に示す処理を行い、状態通知情報を送信すると判定した場合、状態通知情報を中継装置４０に対して送信する。
【００５６】
以上説明したように、本実施形態に係る通知制御システム１は、使用者の荷重を検知可能なベッド１０と接続する制御装置２０と、複数の端末装置（第１端末装置３０、中継装置４０）とを備える。端末装置は、使用者の状態の通知に関する設定を行う手段を備える。制御装置２０は、ベッド１０の荷重情報に基づいて使用者の状態を判定する手段と、当該判定の結果に基づいて使用者の状態を通知する状態通知情報をナースコールシステムＮＳと接続する中継装置４０へ送信する手段と、複数の端末装置の少なくとも１つから使用者の状態の通知が停止中であることを示す停止中情報を受信した場合に、状態通知情報の送信を停止する手段と、を備える。
【００５７】
これにより、ナースコールシステムへの通知制御の操作性を向上することができる。具体的には、ナースコールシステムへの通知設定を行う端末装置が複数存在する場合に、１つの端末装置において通知の一時停止が設定された場合に、ナースコールシステムへの通知が一元的に一時停止されるため、通知制御の操作性を向上することができる。また、複数の端末装置のそれぞれにおいて一時停止の設定をする必要がなくなるため、業務の省力化を図ることができる。
【００５８】
また、本実施形態に係る通知制御システム１において、制御装置２０は、複数の端末装置（第１端末装置３０、中継装置４０）の少なくとも１つから停止中情報を受信した場合に、複数の端末装置に対して、使用者の状態の通知を停止中にすること指示する停止指示情報を送信し、端末装置は、停止指示情報を受信した場合に、使用者の状態の通知が停止中であることを表示する。
【００５９】
これにより、ナースコールシステムへの通知設定を行う端末装置が複数存在する場合に、１つの端末装置において通知の一時停止が設定された場合に、各端末装置が連携して一時停止状態となるため、通知制御の操作性を向上することができる。また、複数の端末装置のそれぞれにおいて通知の一時停止の設定をする必要がなくなるため、業務の省力化を図ることができる。また、各端末装置において、通知が一時停止中である旨の表示を行うため、作業者やベッド使用者が通知の設定状態を一元的に把握することができ、設定の誤認識を削減することができる。
【００６０】
また、本実施形態に係る通知制御システム１において、制御装置２０は、複数の端末装置（第１端末装置３０、中継装置４０）の少なくとも１つから使用者の状態の通知の停止が解除されたことを示す停止解除情報を受信した場合に、複数の端末装置に対して、使用者の状態の通知の停止を解除すること指示する停止解除指示情報を送信し、端末装置は、停止解除指示情報を受信した場合に、使用者の状態の通知が停止中であることを示す表示を解除する。
【００６１】
これにより、ナースコールシステムへの通知設定を行う端末装置が複数存在する場合に、１つの端末装置において通知の一時停止が解除された場合に、各端末装置が連携して一時停止状態を解除するため、通知制御の操作性を向上することができる。また、複数の端末装置のそれぞれにおいて通知の一時停止解除の設定をする必要がなくなるため、業務の省力化を図ることができる。また、各端末装置において、通知が一時停止中である旨の表示を解除するため、作業者やベッド使用者が通知の設定状態を一元的に把握することができ、設定の誤認識を削減することができる。
【００６２】
また、本実施形態に係る通知制御システム１において、通知の設定の対象となる使用者の状態は、起上り、離床、端座位及び見守りのうちの少なくとも１つを含む。
これにより、ナースコールシステムへの通知が必要なベッド使用者の状態のパターンについて、複数の端末装置間で通知設定が連携され、通知制御の操作性を向上することができる。
【００６３】
なお、上述した複数の端末装置は、少なくとも第１端末装置３０又は中継装置４０を含む。例えば、複数の端末装置は、複数の第１端末装置３０であってもよいし、複数の中継装置４０であってもよいし、第１端末装置３０と中継装置４０との組み合わせであってもよい。
【００６４】
［第２の実施形態］
本発明の第２の実施形態について説明する。
図１２は、本実施形態に係る通知制御システム２のシステム構成例を示す概略図である。
通知制御システム２は、ベッド１０と、制御装置２０と、第１端末装置３０と、中継装置４０と、ナースコールシステムＮＳと、第２端末装置５０と、サーバ装置６０と、第３端末装置７０とを備える。ベッド１０、制御装置２０、第１端末装置３０、中継装置４０及びナースコールシステムＮＳについては、第１の実施形態と同様であるためその説明を省略する。
【００６５】
第２端末装置５０は、ベッド１０と有線又は無線で通信可能に接続される端末装置であり、ベッド１０を介して制御装置２０、第１端末装置３０及び中継装置４０と通信する。第２端末装置５０は、例えば、ベッドサイド端末とも称する。第２端末装置５０は、例えばタブレット型の端末であり、各種情報の表示や各種操作の入力受付を行う。第２端末装置５０は、ベッド使用者の各種生体情報（体温、心拍数、呼吸数等）を取得する機能を有する。また、第２端末装置５０は、作業者又はベッド使用者を認証する機能を有してもよい。第２端末装置５０は、ネットワークＮＷを介して接続するサーバ装置６０に、入力された操作情報や、取得したベッド使用者の生体情報等を送信する。なお、第２端末装置５０は複数設置されてもよい。また、第２端末装置５０は、ベッド１０を介さずに制御装置２０や他の装置と通信してもよい。
【００６６】
サーバ装置６０は、各種サービスを提供するサーバであり、病院内や施設内に設置される。サーバ装置６０は、インターネット等のネットワークＮＷを介して病院や施設の外部に設置されてもよい。また、サーバ装置６０は、複数設置されてもよい。サーバ装置６０は、例えば、電子カルテの管理、ベッド使用者（患者）の状態管理、各種表示画面の生成等を行う。各種表示画面の一例としては、ベッド使用者の状態通知の設定状況を示す通知設定一覧画面がある。通知設定一覧画面の例については後述する。
【００６７】
第３端末装置７０は、ナースステーションや管理室等に設置される端末装置であり、例えば、ステーション端末とも称する。第３端末装置７０は複数設置されてもよい。第３端末装置７０は、ネットワークＮＷを介して接続するサーバ装置６０に対して各種サービスを要求する。例えば、第３端末装置７０は、サーバ装置６０に対して、ベッド使用者の状態通知の設定状況を示す通知設定一覧画面を要求し、取得した当該画面を表示する。通知設定一覧画面の例については後述する。
【００６８】
図１３は、本実施形態に係る第２端末装置５０の機能構成例を示すブロック図である。
第２端末装置５０は、制御部５１と、記憶部５２と、表示部５３と、操作部５４と、通信部５５とを備える。
【００６９】
制御部５１は、ＣＰＵ（Ｃｅｎｔｒａｌ  Ｐｒｏｃｅｓｓｉｎｇ  Ｕｎｉｔ；中央演算処理装置）等のプロセッサを用いて構成され、第２端末装置５０の動作を統括して制御する。制御部５１は、各種設定画面等の表示画面を生成し、表示部５３への表示を制御する。
制御部５１は、ベッド使用者の状態の通知に関する情報の送受信を制御する。例えば、制御部５１は、操作部５４よりベッド使用者の状態の通知を停止する設定が入力された場合、制御装置２０に対して、停止中情報を送信する。制御部５１は、操作部５４よりベッド使用者の状態の通知の停止を解除する設定が入力された場合、制御装置２０に対して、停止解除情報を送信する。また、制御部５１は、制御装置２０から、停止指示情報を受信した場合、ベッド使用者の状態通知を一時停止し、一時停止中であることを表示部５３に表示する。更に、制御部５１は、制御装置２０から、停止指示情報を受信した場合、通信部５５を介して、停止指示情報をサーバ装置６０に送信する。制御部５１は、制御装置２０から、停止解除指示情報を受信した場合、ベッド使用者の状態通知の一時停止を解除し、一時停止中であること示す表示を解除する。更に、制御部５１は、制御装置２０から、停止解除指示情報を受信した場合、通信部５５を介して、停止解除指示情報をサーバ装置６０に送信する。
【００７０】
また、制御部５１は、操作部５４又は通信部５５を介して、ベッド使用者の各種生体情報（体温、心拍数、呼吸数等）を取得し、取得した情報を、通信部５５を介してサーバ装置６０に送信する。
【００７１】
記憶部５２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶装置を用いて構成され、種々の情報を記憶する。記憶部５２は、例えば、操作部５４より入力された各種設定情報、通信部５５を介して取得したベッド使用者の生体情報、制御装置２０から受信した使用者の状態の通知に関する情報等を記憶する。
【００７２】
表示部５３は、液晶ディスプレイや有機ＥＬ（Ｅｌｅｃｔｒｏ  Ｌｕｍｉｎｅｓｃｅｎｃｅ）ディスプレイ等の画像表示装置である。表示部５３は、制御部５１の制御に基づいて、各種設定画面等を表示する。
【００７３】
操作部５４は、ボタン、タッチパネル等の入力装置であり、作業者やベッド使用者の入力操作を受け付ける。操作部５４は、入力された情報を制御部５１に出力する。
【００７４】
通信部５５は、有線又は無線のネットワークを介して装置間の通信を行うための通信用インターフェイスを備え、制御装置２０及びサーバ装置６０と通信する。また、通信部５５は、ＮＦＣ（Ｎｅａｒ  Ｆｉｅｌｄ  Ｃｏｍｍｕｎｉｃａｔｉｏｎ）等の近距離無線通信用のインターフェイスを備え、各種測定機器からベッド使用者の生体情報等を取得することが可能である。
【００７５】
図１４は、本実施形態に係るサーバ装置６０の機能構成例を示すブロック図である。
サーバ装置６０は、制御部６１と、記憶部６２と、表示部６３と、操作部６４と、通信部６５とを備える。
【００７６】
制御部６１は、ＣＰＵ（Ｃｅｎｔｒａｌ  Ｐｒｏｃｅｓｓｉｎｇ  Ｕｎｉｔ；中央演算処理装置）等のプロセッサを用いて構成され、サーバ装置６０の動作を統括して制御する。制御部６１は、ベッド使用者の各種設定や生体情報等を通信部６５を介して取得し、記憶部６２に記憶して管理する。制御部６１は、各種設定画面等の表示画面を生成し、表示部６３への表示を制御する。また、制御部６１は、各種表示画面を生成し、第３端末装置等の要求に応じて、表示画面を提供する。ベッド使用者の状態通知の設定状況を示す通知設定一覧画面の例については後述する。
【００７７】
制御部６１は、第２端末装置５０から、停止指示情報を受信した場合、ベッド使用者の状態通知を一時停止中として記憶部６２に登録する。また、制御部６１は、第２端末装置５０から、停止解除指示情報を受信した場合、ベッド使用者の状態通知の一時停止中が解除されたことを記憶部６２に登録する。また、制御部６１は、第１端末装置３０、中継装置４０及び第２端末装置５０と同様に、停止中情報、停止解除情報、停止指示情報及び停止解除指示情報の送受信を制御してもよい。
【００７８】
記憶部６２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶装置を用いて構成され、種々の情報を記憶する。記憶部６２は、例えば、操作部６４より入力された各種設定情報、通信部６５を介して取得したベッド使用者の生体情報、第２端末装置５０から受信した使用者の状態の通知に関する情報等を記憶する。
【００７９】
表示部６３は、液晶ディスプレイや有機ＥＬ（Ｅｌｅｃｔｒｏ  Ｌｕｍｉｎｅｓｃｅｎｃｅ）ディスプレイ等の画像表示装置である。表示部６３は、制御部６１の制御に基づいて、各種設定画面等を表示する。
【００８０】
操作部６４は、マウス、キーボード、タッチパネル等の入力装置であり、サーバ管理者等の入力操作を受け付ける。操作部６４は、入力された情報を制御部６１に出力する。
【００８１】
通信部６５は、有線又は無線のネットワークを介して装置間の通信を行うための通信用インターフェイスを備え、第２端末装置５０及び第３端末装置７０と通信する。
【００８２】
図１５は、本実施形態に係る第３端末装置７０の機能構成例を示すブロック図である。
第３端末装置７０は、制御部７１と、記憶部７２と、表示部７３と、操作部７４と、通信部７５とを備える。
【００８３】
制御部７１は、ＣＰＵ（Ｃｅｎｔｒａｌ  Ｐｒｏｃｅｓｓｉｎｇ  Ｕｎｉｔ；中央演算処理装置）等のプロセッサを用いて構成され、第３端末装置７０の動作を統括して制御する。制御部７１は、各種設定画面等の表示画面を生成し、表示部７３への表示を制御する。制御部７１は、操作部７４を介して入力された操作情報に基づいて、サーバ装置６０に対して設定情報の問合せ、画面の生成要求等を行う。例えば、制御部７１は、サーバ装置６０に対して、通知設定画面の生成を要求する通知設定画面要求を送信し、サーバ装置６０から受信する通知設定画面応答に基づいて、通知設定画面を表示部７３に表示する。また、制御部７１は、第１端末装置３０、中継装置４０、第２端末装置５０及び、サーバ装置６０と同様に、停止中情報、停止解除情報、停止指示情報及び停止解除指示情報の送受信を制御してもよい。
【００８４】
記憶部７２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶装置を用いて構成され、種々の情報を記憶する。
【００８５】
表示部７３は、液晶ディスプレイや有機ＥＬ（Ｅｌｅｃｔｒｏ  Ｌｕｍｉｎｅｓｃｅｎｃｅ）ディスプレイ等の画像表示装置である。表示部７３は、制御部７１の制御に基づいて、各種設定画面等を表示する。
【００８６】
操作部７４は、マウス、キーボード、タッチパネル等の入力装置であり、操作者の入力操作を受け付ける。操作部７４は、入力された情報を制御部７１に出力する。
【００８７】
通信部７５は、有線又は無線のネットワークを介して装置間の通信を行うための通信用インターフェイスを備え、サーバ装置６０と通信する。
【００８８】
第３端末装置７０の表示画面の例について説明する。
図１６は、本実施形態に係る第３端末装置７０の表示画面の例を示す図である。
具体的には、図１６は、通知設定一覧画面である。通知設定画面は、例えば、第３端末装置７０の要求に基づいてサーバ装置６０が生成し、第３端末装置７０の表示部７３に表示される画面である。
【００８９】
Ｆ１の領域には、病室及び病床の情報やベッド使用者（患者等）の情報が表示される。例えば、病室番号、病床番号、患者の氏名、生年月日、性別等が表示される。Ｆ２の領域には、当該ベッド使用者についての離床の通知設定等が表示される。Ｆ２の領域内に、当該ベッド使用者の離床の通知設定を示すアイコンが表示される。ベッド使用者の離床の通知設定を示すアイコンの例については後述する。Ｆ３の領域には、当該ベッド使用者についての心拍の通知設定等が表示される。Ｆ３の領域内に、当該ベッド使用者の心拍の通知設定を示すアイコンが表示される。ベッド使用者の心拍の通知設定を示すアイコンの例については後述する。Ｆ４の領域には、当該ベッド使用者についての呼吸の通知設定等が表示される。Ｆ４の領域内に、当該ベッド使用者の呼吸の通知設定を示すアイコンが表示される。ベッド使用者の呼吸の通知設定を示すアイコンの例については後述する。なお、「離床」以外のベッド使用者の状態（「起上り」、「端座位」、「見守り」等）についても「離床」の列と同様に表示されてもよい。
【００９０】
図１７は、本実施形態に係る第３端末装置７０の表示画面の例を説明する第１の図である。
具体的には、図１７は、ベッド使用者の離床の通知設定を示すアイコンの例を示す図である。番号１のアイコンは、ベッド使用者の離床の通知設定がＯＮであることを示すアイコンである。番号２のアイコンは、ベッド使用者の離床の通知設定がＯＦＦであることを示すアイコンである。番号３のアイコンは、サーバ装置６０がベッド１０と接続されていないことを示すアイコンである。番号４のアイコンは、ベッド使用者の離床の通知設定が一時停止中であることを示すアイコンである。なお、「離床」以外のベッド使用者の状態（「起上り」、「端座位」、「見守り」等）についても同様のアイコンが用いられてもよい。
【００９１】
図１８は、本実施形態に係る第３端末装置７０の表示画面の例を説明する第２の図である。
具体的には、図１８は、ベッド使用者の心拍又は呼吸の通知設定を示すアイコンの例を示す図である。番号１のアイコンは、ベッド使用者の心拍又は呼吸の通知設定がレッドゾーンにおいてＯＮであることを示すアイコンである。レッドゾーンとは、心拍数又は呼吸数が所定の値より大きい又は小さい状態であり、危険度が高い状態であることを示す。番号２のアイコンは、ベッド使用者の心拍又は呼吸の通知設定がイエローゾーンにおいてＯＮであることを示すアイコンである。イエローゾーンとは、心拍数又は呼吸数が所定の値より大きい又は小さい状態であり、注意が必要な状態であることを示す。番号３のアイコンは、ベッド使用者の心拍又は呼吸の通知設定がＯＦＦであることを示すアイコンである。番号４のアイコンは、サーバ装置６０がベッド１０と接続されていないことを示すアイコンである。番号５のアイコンは、ベッド使用者の心拍又は呼吸の通知設定が一時停止中であることを示すアイコンである。
【００９２】
なお、番号５のアイコンは、ベッド使用者の離床の通知設定と連動して表示されてもよい。具体的には、例えば、サーバ装置６０は、ベッド使用者の状態通知を一時停止中にすること指示する情報（停止指示情報）を受信した場合に、ベッド使用者の心拍又は呼吸の通知設定を一時停止中に設定してもよい。制御部６１は、記憶部６２が記憶するベッド使用者の離床の通知設定と心拍又は呼吸の通知設定とを連動させるか否かの設定を参照して上記の連動を制御してもよい。
【００９３】
図１７及び図１８で示す例ように、第３端末装置７０は、ベッド使用者の通知設定を一覧表示するため、看護師、介護者等の作業者は複数のベッド使用者の通知設定を一元的に把握することができる。
【００９４】
本実施形態に係る通知制御システム２の処理の流れについて説明する。
図１９は、本実施形態に係る通知制御システム２の処理の例を示すシーケンス図である。
ステップＳ２０１〜ステップＳ２１８については第１実施形態と同様であるため、説明を省略する。
【００９５】
（ステップＳ３０１）制御装置２０は、第２端末装置５０に対して、ベッド使用者の状態通知を一時停止中にすること指示する情報（停止指示情報）を送信する。
【００９６】
（ステップＳ３０２）第２端末装置５０は、受信した停止指示情報に基づいて、ベッド使用者の状態通知を一時停止中に設定する。
（ステップＳ３０３）第２端末装置５０は、表示部５３に、ベッド使用者の状態通知が一時停止中であることを表示する。
（ステップＳ３０４）第２端末装置５０は、サーバ装置６０に対して、停止指示情報を送信する。
【００９７】
（ステップＳ３０５）サーバ装置６０は、受信した停止指示情報に基づいて、ベッド使用者の状態通知が一時停止中であることを記憶部６２に登録する。
【００９８】
（ステップＳ３０６）第３端末装置７０は、看護師、管理者等の操作に基づいて、通知設定一覧画面をサーバ装置６０に要求する。
（ステップＳ３０７）サーバ装置６０は、通知設定一覧画面を生成し、第３端末装置７０に当該画面の情報を返却する。
（ステップＳ３０８）第３端末装置７０は、受信した通知設定一覧画面の情報に基づいて、通知一覧設定画面を表示部５３に表示する。ここでは、ベッド使用者の通知設定は一時停止中としてサーバ装置６０に登録されているため、通知一覧設定画面には、当該ベッド使用者の通知設定が一時停止中であることを示すアイコンが表示される。
【００９９】
（ステップＳ３０９）制御装置２０は、第２端末装置５０に対して、ベッド使用者の状態の通知の一時停止を解除すること指示する情報（停止解除指示情報）を送信する。
【０１００】
（ステップＳ３１０）第２端末装置５０は、受信した停止指示情報に基づいて、ベッド使用者の状態通知の一時停止を解除する。
（ステップＳ３１１）第２端末装置５０は、表示部５３に、ベッド使用者の状態通知が一時停止中であることを示す表示を解除する。
（ステップＳ３１２）第２端末装置５０は、サーバ装置６０に対して、停止解除指示情報を送信する。
【０１０１】
（ステップＳ３１３）サーバ装置６０は、受信した停止解除指示情報に基づいて、ベッド使用者の状態通知の一時停止が解除されたことを記憶部６２に登録する。
【０１０２】
（ステップＳ３１４）第３端末装置７０は、看護師等の操作に基づいて、通知設定一覧画面をサーバ装置６０に要求する。
（ステップＳ３１５）サーバ装置６０は、通知設定一覧画面を生成し、第３端末装置７０に当該画面の情報を返却する。
（ステップＳ３１６）第３端末装置７０は、受信した通知設定一覧画面の情報に基づいて、通知一覧設定画面を表示部５３に表示する。ここでは、ベッド使用者の通知設定は一時停止中としてサーバ装置６０に登録されていないため、通知一覧設定画面には、当該ベッド使用者の通知設定が一時停止中であることを示すアイコンは表示されない。
【０１０３】
以上説明したように、本実施形態に係る通知制御システム２は、使用者の荷重を検知可能なベッド１０と接続する制御装置２０と、複数の端末装置（第１端末装置３０、中継装置４０、第２端末装置５０、サーバ装置６０、第３端末装置）とを備える。端末装置は、使用者の状態の通知に関する設定を行う手段を備える。制御装置２０は、ベッド１０の荷重情報に基づいて使用者の状態を判定する手段と、当該判定の結果に基づいて使用者の状態を通知する状態通知情報をナースコールシステムＮＳと接続する中継装置４０へ送信する手段と、複数の端末装置の少なくとも１つから使用者の状態の通知が停止中であることを示す停止中情報を受信した場合に、状態通知情報の送信を停止する手段と、を備える。
【０１０４】
これにより、ナースコールシステムへの通知制御の操作性を向上することができる。具体的には、ナースコールシステムへの通知設定を行う端末装置が複数存在する場合に、１つの端末装置において通知の一時停止が設定された場合に、ナースコールシステムへの通知が一元的に一時停止されるため、通知制御の操作性を向上することができる。また、複数の端末装置のそれぞれにおいて一時停止の設定をする必要がなくなるため、業務の省力化を図ることができる。
【０１０５】
また、本実施形態に係る通知制御システム２において、制御装置２０は、複数の端末装置（第１端末装置３０、中継装置４０、第２端末装置５０、サーバ装置６０、第３端末装置）の少なくとも１つから停止中情報を受信した場合に、複数の端末装置に対して、使用者の状態の通知を停止中にすること指示する停止指示情報を送信し、端末装置は、停止指示情報を受信した場合に、使用者の状態の通知が停止中であることを表示する。
【０１０６】
これにより、ナースコールシステムへの通知設定を行う端末装置が複数存在する場合に、１つの端末装置において通知の一時停止が設定された場合に、各端末装置が連携して一時停止状態となるため、通知制御の操作性を向上することができる。また、複数の端末装置のそれぞれにおいて通知の一時停止の設定をする必要がなくなるため、業務の省力化を図ることができる。また、各端末装置において、通知が一時停止中である旨の表示を行うため、作業者やベッド使用者が通知の設定状態を一元的に把握することができ、設定の誤認識を削減することができる。
【０１０７】
また、本実施形態に係る通知制御システム２において、制御装置２０は、複数の端末装置（第１端末装置３０、中継装置４０、第２端末装置５０、サーバ装置６０、第３端末装置）の少なくとも１つから使用者の状態の通知の停止が解除されたことを示す停止解除情報を受信した場合に、複数の端末装置に対して、使用者の状態の通知の停止を解除すること指示する停止解除指示情報を送信し、端末装置は、停止解除指示情報を受信した場合に、使用者の状態の通知が停止中であることを示す表示を解除する。
【０１０８】
これにより、ナースコールシステムへの通知設定を行う端末装置が複数存在する場合に、１つの端末装置において通知の一時停止が解除された場合に、各端末装置が連携して一時停止状態を解除するため、通知制御の操作性を向上することができる。また、複数の端末装置のそれぞれにおいて通知の一時停止解除の設定をする必要がなくなるため、業務の省力化を図ることができる。また、各端末装置において、通知が一時停止中である旨の表示を解除するため、作業者やベッド使用者が通知の設定状態を一元的に把握することができ、設定の誤認識を削減することができる。
【０１０９】
また、本実施形態に係る通知制御システム２において、通知の設定の対象となる使用者の状態は、起上り、離床、端座位及び見守りのうちの少なくとも１つを含む。
これにより、ナースコールシステムへの通知が必要なベッド使用者の状態のパターンについて、複数の端末装置間で通知設定が連携され、通知制御の操作性を向上することができる。
【０１１０】
なお、上述した複数の端末装置は、少なくとも第１端末装置３０、中継装置４０、第２端末装置５０、サーバ装置６０、第３端末装置７０のうちの少なくとも１つを含む。例えば、複数の端末装置は、複数の第２端末装置５０であってもよいし、第１端末装置３０と第２端末装置５０との組み合わせであってもよいし、その他の組合せであってもよい。
【０１１１】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、各実施形態におけるシーケンス、フローチャート等で示した処理は、矛盾のない限り、順序を入れ替えたり、省略したりしてもよい。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【０１１２】
なお、上述の制御装置２０、第１端末装置３０、中継装置４０、第２端末装置５０、サーバ装置６０及び第３端末装置７０などとしての機能を実現するためのプログラムをコンピュータ読み取り可能な記録媒体に記録して、この記録媒体に記録されたプログラムをコンピュータシステムに読み込ませ、実行することにより上述の制御装置２０、第１端末装置３０、中継装置４０、第２端末装置５０、サーバ装置６０及び第３端末装置７０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１１３】
また、記録媒体には、当該プログラムを配信するために配信サーバからアクセス可能な内部又は外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０１１４】
［付記］
（１）使用者の荷重を検知可能なベッドと接続する制御装置と、複数の端末装置とを備える通知制御システムであって、前記端末装置は、前記使用者の状態の通知に関する設定を行う手段を備え、前記制御装置は、前記ベッドの荷重情報に基づいて前記使用者の状態を判定する手段と、前記判定の結果に基づいて前記使用者の状態を通知する状態通知情報をナースコールシステムと接続する中継装置へ送信する手段と、前記複数の端末装置の少なくとも１つから前記使用者の状態の通知が停止中であることを示す停止中情報を受信した場合に、前記状態通知情報の送信を停止する手段と、を備える通知制御システム。
（２）前記制御装置は、前記複数の端末装置の少なくとも１つから前記停止中情報を受信した場合に、前記複数の端末装置に対して、前記使用者の状態の通知を停止中にすること指示する停止指示情報を送信し、前記端末装置は、前記停止指示情報を受信した場合に、前記使用者の状態の通知が停止中であることを表示する、（１）に記載の通知制御システム。
（３）前記制御装置は、前記複数の端末装置の少なくとも１つから前記使用者の状態の通知の停止が解除されたことを示す停止解除情報を受信した場合に、前記複数の端末装置に対して、前記使用者の状態の通知の停止を解除すること指示する停止解除指示情報を送信し、前記端末装置は、前記停止解除指示情報を受信した場合に、前記使用者の状態の通知が停止中であることを示す表示を解除する、（２）に記載の通知制御システム。
（４）前記使用者の状態は、起上り、離床、端座位及び見守りのうちの少なくとも１つを含む、（１）から（３）のいずれか一つに記載の通知制御システム。
（５）使用者の荷重を検知可能なベッドと、前記使用者の状態の通知に関する設定を行う複数の端末装置とに接続する制御装置であって、前記ベッドの荷重情報に基づいて前記使用者の状態を判定する手段と、前記判定の結果に基づいて前記使用者の状態を通知する状態通知情報をナースコールシステムと接続する中継装置へ送信する手段と、前記複数の端末装置の少なくとも１つから前記使用者の状態の通知が停止中であることを示す停止中情報を受信した場合に、前記状態通知情報の送信を停止する手段と、を備える制御装置。
（６）前記複数の端末装置の少なくとも１つから前記停止中情報を受信した場合に、前記複数の端末装置に対して、前記使用者の状態の通知を停止中にすること指示する停止指示情報を送信する、（５）に記載の制御装置。
（７）前記複数の端末装置の少なくとも１つから前記使用者の状態の通知の停止が解除されたことを示す停止解除情報を受信した場合に、前記複数の端末装置に対して、前記使用者の状態の通知の停止を解除すること指示する停止解除指示情報を送信する、（６）に記載の制御装置。
（８）前記使用者の状態は、起上り、離床、端座位及び見守りのうちの少なくとも１つを含む、（５）から（７）のいずれか一つに記載の制御装置。
（９）使用者の荷重を検知可能なベッドと、前記使用者の状態の通知に関する設定を行う複数の端末装置とに接続する制御装置に、前記ベッドの荷重情報に基づいて前記使用者の状態を判定する機能と、前記判定の結果に基づいて前記使用者の状態を通知する状態通知情報をナースコールシステムと接続する中継装置へ送信する機能と、前記複数の端末装置の少なくとも１つから前記使用者の状態の通知が停止中であることを示す停止中情報を受信した場合に、前記状態通知情報の送信を停止する機能と、実現させるためのプログラム。
【符号の説明】
【０１１５】
１  通知制御システム
２  通知制御システム
１０  ベッド
２０  制御装置
２１  制御部
２１１  状態判定部
２１２  通知制御部
２２  記憶部
２３  通信部
３０  第１端末装置
３１  制御部
３２  記憶部
３３  表示部
３３１  第１表示部
３３２  第２表示部
３４  操作部
３５  通信部
４０  中継装置
４１  制御部
４２  記憶部
４３  表示部
４４  操作部
４５  通信部
５０  第２端末装置
５１  制御部
５２  記憶部
５３  表示部
５４  操作部
５５  通信部
６０  サーバ装置
６１  制御部
６２  記憶部
６３  表示部
６４  操作部
６５  通信部
７０  第３端末装置
７１  制御部
７２  記憶部
７３  表示部
７４  操作部
７５  通信部
ＮＳ  ナースコールシステム
【図１】
2019176951.tif 000003
【図２】
2019176951.tif 000004
【図３】
2019176951.tif 000005
【図４】
2019176951.tif 000006
【図５】
2019176951.tif 000007
【図６】
2019176951.tif 000008
【図７】
2019176951.tif 000009
【図８】
2019176951.tif 000010
【図９】
2019176951.tif 000011
【図１０】
2019176951.tif 000012
【図１１】
2019176951.tif 000013
【図１２】
2019176951.tif 000014
【図１３】
2019176951.tif 000015
【図１４】
2019176951.tif 000016
【図１５】
2019176951.tif 000017
【図１６】
2019176951.tif 000018
【図１７】
2019176951.tif 000019
【図１８】
2019176951.tif 000020
【図１９】
2019176951.tif 000021